(57)【要約】【課題】枠体の係止孔付近の強度を効果的に向上させて、パネルの枠体の変形が生じにくいパネルの補強構造を提供する。【解決手段】板状のパネル本体１０と、パネル本体１０に取付けられる矩形状の枠体２０と、枠体２０の内周面２１に配置される補強部材３０とを備えたパネルの補強構造であって、枠体２０は、パネルＰを係止する係止部材５０が挿通する係止孔２２を備え、補強部材３０は、係止孔２２の縁部２２ａと重なり合う重合部３１と、重合部３１からパネル本体１０とは反対側の端部から立ち上がるように形成された補強部３２とを備え、重合部３１は、係止部材５０が係止孔２２の通過を許容する切欠部３３が設けられるとともに、切欠部３３が補強部３１とは反対側の端部は開かれて解放部３４となされるように構成する。【選択図】  図１
2019127783.tif 000002
【特許請求の範囲】
【請求項１】
板状のパネル本体と、
前記パネル本体の外縁部に取付けられる矩形状の枠体と、
前記枠体の内周面であって前記パネル本体が取付けられた位置とは異なる位置に配置される補強部材とを備えたパネルの補強構造であって、
前記枠体は、パネルを係止するための係止部材が挿通する係止孔を備え、
前記補強部材は、前記係止孔の縁部と重なり合う重合部と、前記重合部において、前記パネル本体とは反対側の端部から立ち上がるように形成された補強部とを備え、
前記重合部は、前記係止部材が前記係止孔の通過を許容する切欠部が設けられるとともに、前記切欠部において、補強部とは反対側の端部は開かれて解放部となされていることを特徴とするパネルの補強構造。
【発明の詳細な説明】
【技術分野】
【０００１】
本発明は、建設土木現場における建築物の建設・補修・解体作業時に発生する騒音、工事用部材の外部への落下、あるいは解体物の飛散など、様々な周囲への影響や被害を防止するために仮設して囲うために使用されるパネルの補強構造に関するものである。
【背景技術】
【０００２】
一般に、建築工事現場、解体工事現場においては、建築物の周囲をパネルで覆い、工事に伴う騒音や、解体物の飛散等、外部への影響を抑えている。また、建築物で実施される作業、例えば、溶接作業の火花等が外部から見えないように遮る効果もある。
【０００３】
このようなパネルは、一般には、矩形状の枠体に矩形状のパネル本体が固定されたものであって、パネルの固定方法としては、建築物の周囲を囲むように格子状に組んで配置された金属製のパイプにおいて、縦パイプにＬ字状のフック付きクランプを取付け、枠材の上下部に上下方向に貫通する係止孔に前記フックを引っ掛けて固定するものである。
【０００４】
パネルを固定した後は、枠体の係止孔付近にパネルの荷重が掛かることとなり、しかも係止孔付近は、係止孔自身の切欠により荷重が掛かると変形しやすくなる。
【０００５】
そこで、係止孔付近の変形を防ぐために、例えば、引用文献１には、型材を方形に組んだ枠体の一側に表面パネルを設けて成る養生パネルにおいて、前記型材は外側にパッキン嵌入溝が、一側にはパネル縁嵌入溝が夫々長手方向に沿って設けてられており、枠体のコーナー部分の係合部（係止孔）付近に補強アングルが添接固着されていると共に、前記表面パネルは箱形に成形されて、垂下縁が前記パネル縁嵌入溝に嵌入固着されている養生パネルが提案されている。
【先行技術文献】
【特許文献】
【０００６】
【特許文献１】実開平１−４６３３７号公報
【発明の概要】
【発明が解決しようとする課題】
【０００７】
ところで、特許文献１の養生パネルにおいては、補強アングルには枠体の係合部（係止孔）に合わせて孔が設けられているため、補強アングルを固着しただけでは、係合部付近の強度アップが不十分となる場合があった。
【０００８】
本発明は、枠体の係止孔付近の強度を効果的に向上させて、パネルの枠体の変形が生じにくいパネルの補強構造を提供するものである。
【課題を解決するための手段】
【０００９】
上記目的を達成するために、本発明は次のような構成としている。
すなわち本発明に係るパネルの補強構造は、板状のパネル本体と、前記パネル本体の外縁部に取付けられる矩形状の枠体と、前記枠体の内周面であって前記パネル本体が取付けられた位置とは異なる位置に配置される補強部材とを備えたパネルの補強構造であって、前記枠体は、パネルを係止するための係止部材が挿通する係止孔を備え、前記補強部材は、前記係止孔の縁部と重なり合う重合部と、前記重合部において、前記パネル本体とは反対側の端部から立ち上がるように形成された補強部とを備え、前記重合部は、前記係止部材が前記係止孔の通過を許容する切欠部が設けられるとともに、前記切欠部において、補強部とは反対側の端部は開かれて解放部となされていることを特徴とするものである。
【発明の効果】
【００１０】
本発明に係るパネルの補強構造によれば、補強部材の基部は、パネルを係止するための係止部材が係止孔を通過することを妨げないように切欠部が設けられるとともに、切欠部において、補強部とは反対側の端部は解放部となされているので、係止部材を介してパネルを係止する際、係止孔付近の変形を補強部で抑制しつつ、解放部側において係止部材と補強部材が接触等の干渉を起こすことがないので、係止孔への係止部材の通過がスムーズにすることができる。
【図面の簡単な説明】
【００１１】
【図１】本発明に係る防音パネルにおいて実施の一形態を示す概略斜視図である。
【図２】図１のＡ−Ａ断面における主要部の拡大端面図である。
【図３】図１のＢ−Ｂ断面における主要部の拡大端面図である。
【図４】補強部材の斜視図である。
【図５】補強部材の取付構造を示す模式図である。
【図６】パネルの固定方法を示す説明図である。
【図７】パネルの固定方法を示す別の説明図である。
【図８】図７の平面図である。
【図９】図７において係止部材付近の説明図である。
【発明を実施するための形態】
【００１２】
次に、本発明を実施するための最良の形態について図面を参照し、具体的に説明する。
図１は本発明に係るパネルの実施の一形態を示す概略斜視図、図２は図１のＡ−Ａ断面における拡大端面図、図３は図１のＢ−Ｂ断面における拡大端面図である。本発明に係るパネルＰは、正面視矩形状であって、板状のパネル本体１０と、パネル本体１０の外縁部１１に取付けられた枠体２０と、枠体２０の内周面２１であって、パネル本体１０が取付けられた位置とは異なる位置に取付けられる補強部材３０とを備えたものである。
【００１３】
パネルＰは、枠体２０の短辺側は外周面に弾性部材４０が取付けられており、長辺側は枠体２０の厚さ方向である内外に貫通する係止孔２２を有している。係止孔２２は、枠体２０の角部に位置しており、本形態では、枠体２０の長手方向に長い長孔となされている。なお、パネルＰは、正面視方形状でもよく、また長辺側に弾性部材４０を取付け、短辺側に係止孔２２を設けたものでもよい。更に、弾性部材４０は、本形態のように枠体２０の短辺側の一方にのみ取付けたものでもよく、図示しないが、短辺側の両方に取付けてもよい。
【００１４】
パネルＰを設置する場合は、詳細は後述するが、長辺側の枠体２０が上下に配置され、短辺側の枠体２０が左右に配置される。そして、パネルＰを上下方向に積み重ねる際は、下側のパネルＰの枠体２０上に上側のパネルＰの枠体２０が載置され、パネルＰを左右方向に並べる際は、弾性部材４０同士が接触した状態となるように設置される。
【００１５】
パネル本体１０は、本形態では、合成樹脂製のシート状の芯材の上下両面に金属板が貼着されて金属板、芯材、金属板の順に積層されて接着層を介して接着された積層体であって、軽量で遮音性能に優れたものとなり好ましい。芯材の厚さは、成型性、強度、取り扱い性等を考慮すると１〜１０ｍｍが好ましく、更には１〜５ｍｍが更に好ましい。また金属板の厚さは、重量、加工性、取り扱い等を考慮すると０．０５〜１ｍｍが好ましい。
【００１６】
パネル本体１０は、金属、合成樹脂、木材、紙、セメントなどの無機材料、あるいはこれらの複合材料により作製したものでもよく、必要に応じてガラスウールやロックウールなどの吸音材を備えるようにしたものでもよい。具体的には、吸音材の表裏にパネル本体１０を配置した複層構造とし、更に、騒音の発生源側に位置するパネル本体１０には、孔やスリットを形成した形態を挙げることができる。
【００１７】
枠体２０は、パネル本体１０の外縁部１１にわたって連続的して取付けられている。枠体２０には、図２に示すように、内周面２１の長手方向に沿って枠体２０の中央側に開口する溝を有するパネル取付部２３が連続して設けられており、パネル取付部２３にパネル本体１０の外縁部１１が挿入されることによって、パネル本体１０に枠体２０が取付けられる。そして、枠体２０は、パネル本体１０の外縁部全体に取付けられて矩形状となされている。かかる枠体２０は、アルミニウム合金などの金属、または合成樹脂で作製してもよく、あるいはそれらの複合材料で作製してもよい。
【００１８】
弾性部材４０は、例えば、熱可塑性エラストマーより作成したものでもよく、具体的には、スチレン系エラストマー、オレフィン系エラストマー、塩化ビニル系エラストマー等を単独で用いてもよく、これらを複合して用いたものでもよい。更に、これ以外の材料として、合成ゴムや天然ゴムなどを単体または組み合わせて用いてもよい。要は、使用時において、圧縮等外部から応力がかかれば変形しやすく、応力が取り除かれると元に戻りやすい材質が好ましい。
【００１９】
図４，図５は補強部材の説明図であって、図４は補強部材の斜視図、図５は補強部材の取付構造を示す模式図である。補強部材３０は、枠体２０の係止孔２２に挿通される係止部材５０を介してパネルＰが固定される際に、枠体２０において係止孔２２付近に生じうる変形や破断を抑えるために、パネル本体１０とは異なる位置であって係止孔２２付近に取付けられるものである。かかる補強部材３０は、係止孔２２の縁部２２ａと重なり合う重合部３１と、パネル本体１０とは反対側であって重合部３１の幅方向の端部から立ち上がるように形成された補強部３２とを備えており、当該補強部３２と重合部３１によって断面Ｌ字状となされている。
【００２０】
重合部３１は、本形態では、係止孔２２を有する枠体２０の長辺側と、枠体２０の角部を構成する短辺側に配置されるＬ字状に形成されており、長辺側と短辺側それぞれにおいて、連結部材６０を介して枠体２０に固定されている。具体的には、重合部３１の長辺側と短辺側それぞれに厚さ方向に貫通する貫通孔３１ａ、３１ｂがそれぞれ設けられており、貫通孔３１ａ、３１ｂを挿通して枠体２０の厚さ方向に貫通する連結部材６０としてのリベットによって、補強部材３０が枠体２０の角部に固定されている。貫通孔３１ａ、３１ｂの形状は特に限定されるものではないが、本形態においては、補強部材３０は、ステンレス合金の板材に貫通孔３１ａ、３１ｂを形成した後に、折り曲げ加工又はプレス加工により成形したものであって、貫通孔３１ａ、３１ｂが僅かな加工誤差等により、所定の位置より僅かにずれるおそれがあり、貫通孔３１ａは丸孔とし、貫通孔３１ｂは、前記加工誤差等を吸収するために長手方向に長い長孔としてもよい。
【００２１】
重合部３１は、係止孔２２を挿通する係止部材５０の通過を許容する切欠部３３を有しており、重合部３１の厚さ方向に貫通している。切欠部３３は、補強部３２が形成された端部とは反対側が開かれた解放部３４を有している。
【００２２】
次に、パネルＰの固定方法について詳しく説明する。図６〜図８はパネルの固定方法を示す説明図であって、図６，図７はパネルの固定方法を側方から見た説明図、図８は図７の平面図である。パネルＰを上下方向に並べて設置する方法について説明する。所定の間隔で立設された支柱７０には、パネルＰを取付けるための前述の係止部材５０が固定されている。係止部材５０は、支柱７０と交差する方向に設けられた張り出し部５１と、張り出し部５１から立ち上がる立上り部５２とを有しており、立上り部５２をパネルＰの枠体２０の係止孔２２に通して、枠体２０を係止部材５０に引っ掛けてパネルＰを取付ける。
【００２３】
次に別のパネルＰをＸ方向に移動し、取付済みのパネルＰの上方に配置する。続いて、Ｙ方向に移動して、取付済みのパネルＰの枠体２０を引っ掛けている立上り部５２を、当該パネルＰの枠体２０の下部の係止孔２２に通し、枠体２０の上部の係止孔２２に上方に位置する別の係止部材５０の立上り部５２を通して、パネルＰを取付け済みのパネルＰ上に設置する。この作業を繰り返して、パネルＰを上下方向に並べて設置する。本形態では、パネルＰを単に積み重ねるだけで、各パネルＰの枠体２０の間に隙間がほとんど生じない状態となる。
【００２４】
次に、防音パネルを左右方向に並べて設置する方法について説明する。図８に示すように、パネルＰは、枠体２０の左右両側面に弾性部材４０が取付けられている。左右方向に並べられるパネルＰの隙間は、正面視において、弾性部材４０が少なくとも当接する間隔、好ましくは互いに押圧される間隔とすればよい。
【００２５】
また、枠体２０の係止孔２２は、枠体２０の長手方向に長い長孔となされているので、パネルＰの左右方向の位置調整が容易となり、弾性部材４０によって隣り合うパネルＰの枠体２０間の隙間をなくすことができる。弾性部材４０は、本形態のように、パネルＰの左右両側端部に取付けてもよく、図示しないが、一方の側端部のみに弾性部材４０を取付けた形態でもよい。
【００２６】
続いて、枠体と補強部材との関係について、図５，図９を用いて更に詳しく説明する。図９は図７において枠体の係止孔に挿通された係止部材の説明図である。パネルＰを係止部材５０に取付ける際、作業者は図５，図９において左側に位置しており、補強部材３０の補強部３２は作業者側に位置している。本形態では、枠体２０において、パネル取付部２３とは異なる位置に長手方向に沿って連続して形成されて枠体２０の内側に向けて開口する溝部２４内に補強部材３０が配置されている。
【００２７】
本形態では、溝部２４に前述の係止孔２２が形成されている。そして溝部２４は、補強部材３０の重合部３１が固定される底部２４ａと、パネル取付部２３側に位置する内側壁部２４ｂと、その反対側に位置する外側壁部２４ｃとを備えており、外側壁部２４ｃに沿って補強部材３０の補強部３２が配置されている。
【００２８】
ところで、枠体２０は、係止孔２２を有することで当該係止孔２２付近の強度が低下することとなり、強度低下の影響を受けやすいのは、係止孔２２に係止部材５０が挿通された状態において、係止部材５０が相対的に外側壁部２４ｃ側に移動する方向に荷重が掛かった際と考えられ、例えばパネル本体１０に対して、係止部材５０側から風を受けた場合を挙げることができる。これにより、外側壁部２４ｃが外側に向けて膨らむように変形したり、その変形が大きくなって破断したりするおそれがある。
【００２９】
したがって、本形態のように、枠体２０の溝部２４の外側壁部２４ｃに沿って補強部材３０の補強部３２を配置することによって、上記の変形を抑えることができる。補強部３２は、枠体２０より剛性の高い材料が好ましく、本形態では、枠体２０はアルミニウム合金から押出成形されたものであるが、補強部材３０としては、鋼材やステンレス合金といったアルミニウム合金よりも剛性の高い材料から成形されたものを用いれば、効果的に上記変形を抑えることができる。本形態においては、補強部材３０は、より剛性の高いステンレス合金を用いている。
【００３０】
また本形態では、係止孔２２の外側壁部２４ｃ側の縁部は、補強部材３０の切欠部３３の縁部よりも外側壁部２４ｃ側に位置しており、換言すると、補強部材３０により係止孔２２の外側壁部２４ｃ側が覆われている。
【００３１】
これにより、切欠部２３の縁部を係止孔２２の外側壁部２４ｃ側の縁部と見なすことができる。更に、本形態では、補強部３２から切欠部２３の縁部にわたって平坦に形成されている。係止孔２２に係止部材５０を挿通する際、補強部３２の先端部３２ａを視認することによって、係止孔２２の外側壁部２４ｃ側の実質的な縁部を認識することができる。
【００３２】
また本形態では、補強部３２の立上り方向の先端部３２ａは、外側壁部２４ｃの開口側端部と同じ高さとしているので、作業者は、パネルＰの固定作業において先端部３２ａを確実に視認することができる。
【００３３】
なお、外側壁部２４ｃにおいて、溝部２４の開口側を角取りしている場合は、その角取り箇所の高さ方向の範囲に、補強部３２の先端部３２ａが配置されていれば、先端部３２ａを視認することができるので、補強部３２の先端部３２ａは、外側壁部２４ｃの開口側端部と異なる高さとしてもよい。
【００３４】
また、本形態では、補強部３２は、重合部３１の長辺側から短辺側にわたって連続して形成された略Ｌ字状に形成されている。これにより、重合部３１において、長辺側には長手方向先端側のみに貫通孔３１ａを有しており、角部付近には貫通孔３１ａを有していないが、補強部３２の角部側が外側壁部２４ｃ側への変形を抑えることができる。
【００３５】
一方、枠体２０の溝部２４において、内側壁部２４ｂ側にはパネル本体１０が位置するので、係止部材５０により係止孔２２の内側壁部２４ｂ側に荷重が掛かった場合でも変形等の不具合は生じにくい。従って、重合部３１の切欠部３３において、内側壁部２４ｂ側である補強部３２と反対側を開いた解放部３４とすることによって、係止孔２２に係止部材５０を挿通する際、係止孔２２の内側壁部２４ｂ側の縁部まで利用することができるので、係止孔２２の幅方向の開口寸法を最大限利用することができる。
【００３６】
以上、本発明の防音パネルについて、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００３７】
本発明は、建築工事現場、解体工事現場等の建設土木現場の周囲を覆い、作業が終了した後は、解体して別の現場でも利用できる防音パネルとして広く利用することができる。
【符号の説明】
【００３８】
１０  パネル本体
１１  外縁部
２０  枠体
２１  内周面
２２  係止孔
２２ａ  縁部
２３  パネル取付部
２４  溝部
２４ａ  底部
２４ｂ  内側壁部
２４ｃ  外側壁部
３０  補強部材
３１  重合部
３１ａ、３１ｂ  貫通孔
３２  補強部
３２ａ  先端部
３３  切欠部
３４  解放部
４０  弾性部材
５０  係止部材
５１  張り出し部
５２  立上り部
６０  連結部材
７０  支柱
Ｐ  パネル
【図１】
2019127783.tif 000003
【図２】
2019127783.tif 000004
【図３】
2019127783.tif 000005
【図４】
2019127783.tif 000006
【図５】
2019127783.tif 000007
【図６】
2019127783.tif 000008
【図７】
2019127783.tif 000009
【図８】
2019127783.tif 000010
【図９】
2019127783.tif 000011